(57)【特許請求の範囲】
【請求項１】
床面に固定されたベースから起立する支柱の上部に座を有し、前記支柱を前記ベースに回動自在に軸支して、前記支柱を前後方向へ傾倒自在に形成した椅子であって、前記支柱の上部から前方に延出した延出部の前部と、前記支柱の上端開口から昇降する付勢部材の上部とに、前記座の下面の前部および後部をそれぞれ回動自在に軸支するとともに、前記座の下面の前部を、前後方向に長い軸孔に沿って前後摺動自在に軸支することで、前記付勢部材が座の中心より後方を押し上げるとともに、座の前部が回動しかつ後方へと摺動して、前記座を斜めに傾斜させた不使用位置と、
座の後部が前記付勢部材の付勢力に抗して下降する動作に追従して、座の前部が回動しかつ前方へと摺動して、前記座を略水平の状態とした使用位置と、
に変形可能としたことを特徴とする、椅子。
【請求項２】
前記延出部の前部を上向きに隆起させ、使用位置とした前記座の下面を支持することを特徴とする、請求項１記載の椅子。
【発明の詳細な説明】
【技術分野】
【０００１】
本発明は、床面に固定されたベースから起立する支柱の上部に、座を有する椅子に関し、座の傾倒により使用位置と不使用位置とに可変する椅子に関する。
【背景技術】
【０００２】
従来、講義室等の床面に予め固定して配置された椅子や机が知られている。このような、机と椅子は、主に、多数の人が着座する学校の講義室や国際会議場などで用いられており、限られた空間で、最大限の座席数を確保することができるといった利点がある。
【０００３】
このような椅子の一例としては、特許文献１に開示された椅子が挙げられるが、後方の机にリンク機構を介して、座を取り付けた構成であり、この場合、後方の机を背凭れとして用いるため、椅子の使用時には、前後の机間に通路が確保されず、机の端に着座者がいる場合、着座者の後を通り机の中程の席に行くことができないといった問題があった。
【０００４】
これに対して、特許文献２および特許文献３に開示された椅子は、床面に固定されたベース上に椅子を起立させた構成であり、机に対して近接する位置まで傾倒する収納状態と、着座するために机に対して離間する着座状態とに可変するため、椅子の収納時のみならず使用時においても、着座者が腰を浮かせながら椅子を前傾させることで、椅子の後方に通路を確保することが可能である。
【０００５】
しかしながら、これらの椅子は、ベースから座にかけて起立させた主リンクや前脚といった複雑なリンク機構が張り巡らされるために、リンク機構の可動部分のメンテナンスを頻繁に行う必要があり、また、着座者の足が、可動するリンク機構に接触するなどしてリンク機構が邪魔であり、さらには、着座者の足元の空間を狭めてしまうため、不自由な着座姿勢を強いる原因ともなった。
【０００６】
【特許文献１】特開平４−３６７６２２号公報
【特許文献２】特許第２９２７７１２号公報
【特許文献３】特許第３８０３６４２号公報
【発明の概要】
【発明が解決しようとする課題】
【０００７】
本発明は、上記床面に予め固定して配置された椅子に関し、従来の複雑なリンク機構を用いることなく、簡易な構成で座を可動自在に構成し、着座者が座りやすく、また、着座後も足元の空間を大きくとることが可能な椅子を提供することを課題とする。
【課題を解決するための手段】
【０００８】
上記課題を解決すべく、本発明の請求項１に記載の発明は、床面に固定されたベースから起立する支柱の上部に座を有し、前記支柱を前記ベースに回動自在に軸支して、前記支柱を前後方向へ傾倒自在に形成した椅子であって、前記支柱の上部から前方に延出した延出部の前部と、前記支柱の上端開口から昇降する付勢部材の上部とに、前記座の下面の前部および後部をそれぞれ回動自在に軸支するとともに、前記座の下面の前部を、前後方向に長い軸孔に沿って前後摺動自在に軸支することで、前記付勢部材が座の中心より後方を押し上げるとともに、座の前部が回動しかつ後方へと摺動して、前記座を斜めに傾斜させた不使用位置と、
座の後部が前記付勢部材の付勢力に抗して下降する動作に追従して、座の前部が回動しかつ前方へと摺動して、前記座を略水平の状態とした使用位置と、
に変形可能としたことを特徴とする、椅子である。
【００１２】
また、請求項２に記載の発明は、請求項１記載の椅子において、前記延出部の前部を上向きに隆起させ、使用位置とした前記座の下面を支持することを特徴とする。
【発明の効果】
【００１３】
本発明の請求項１に記載の発明によれば、従来の複雑なリンク機構を用いることなく、簡単な構成で、座の使用位置から不使用位置へと変形させることができる。特に、ベースから座にかけて複雑なリンク機構を必要とせず、リンク機構の頻繁なメンテナンスを要さず、座の下方には支柱が起立されているだけで、座に着座した際の足元の邪魔になるようなことはないから、足元の空間が狭められることがなく、足回りを広くした自由な姿勢で着座することができる。
【００１４】
また、前記座の下面の前部もしくは後部に形成した軸孔の少なくとも一方を前後方向に長く穿設して、前記枢軸を挿通することで、前記座の前部もしくは後部の少なくとも一方を前後移動可能として、簡単な構成で、座の使用位置から不使用位置へと変形させることができる。
【００１５】
また、前記支柱を、前記ベースに左右方向の枢軸をもって回動自在に軸支して、前記支柱を、前後方向へ傾倒自在させることにより、椅子の収納状態と着座状態とに容易に変形させることができる。これにより、椅子の未使用時には、支柱を前傾させることで、椅子を机に近接させ椅子の後方に大きな通路を確保することが可能であり、他方、椅子の使用時には、支柱を後傾させることにより、椅子を引き出した状態で着座することが可能である。
【００１６】
また、支柱内部の付勢部材を露出することなく、意匠性の高い椅子を提供することが可能である。また、支柱内部に異物が入り込むことを防ぎ、付勢部材の可動部に異物が付着することを防止することが可能である。
【００１７】
また、請求項２に記載の発明によれば、座の前部を安定かつ強固に支持することが可能であり、座り心地が向上する効果がある。
【発明を実施するための形態】
【００１８】
本発明の椅子１の一例としては、図１（ａ）（ｂ）（ｃ）に示すように、床面に固定されたベース６１に対して起立する円柱状の支柱５７が、ベース６１前方の軸孔６４へと枢軸６７を介して前後傾倒自在に軸支され、支柱５７上部より、後方へと略水平方向に形成された背支持板５４は、その後端部分より略垂直方向に背取付板５５が形成され、該背取付板５５の前面にビス２５等で背凭れ２１が取り付けられた椅子１であって、前記支柱５７の上方に位置する座３５の後部が上下昇降自在に形成されるとともに、座３５の前部が回動自在かつ前後摺動自在に形成されることで、座３５を略水平な使用位置から、座３５が斜めに傾倒した不使用位置へと変形させることが可能である。
【００１９】
さらには、前記支柱５７が前記ベース６１へと回動自在に軸支されており、前記支柱５７の前後傾倒により、（ａ）椅子１の収納状態１ａから、（ｂ）椅子１の引き出し状態１ｂを経て、（ｃ）座３５に着座する着座状態１ｃへと、変形させることが可能である。特に、本発明の椅子１は、前記座３５の可動機構が簡易な構成であり、従来の構成である支柱の傾倒に追従させて座を可動変形させるための複雑なリンク機構等を用いない利点がある。
【００２０】
以下、本発明の椅子１の構成について詳述する。
本発明の椅子１は、図２に示すように、座３５および座受け部材３１からなる座３５に係る部材（図中、左方）と、支柱５７、延出部５３、背支持板５４、背取付板５５が一体に形成されたボディ（図中、中央）と、ベース６１、付勢部材８２（ガススプリング８２）、カバー部材７１からなる、傾倒および昇降部材（図中、右方）とに大別される。
【００２１】
まず、図の左方に配置された各部材とそれぞれの関係について説明する。
使用者が着座するための略平板状の座３５の下面には、左右一対の座受け部材３１が形成されており、該座受け部材３１は、座３５の前部３５ａから後部３５ｂにかけて、前後方向に長い部材である。
【００２２】
前記座受け部３１の前部内側には、前後方向に長いスリット状の軸孔３２が穿設されており、後述する、延出部５３の枢軸５１が、前記軸孔３２へと回動自在に軸支されるとともに、軸孔３２に沿って前後摺動自在に形成される構成である。
また、座受け部３１の後部内側には、軸孔３３が形成されており、後述する、ガススプリング等の付勢部材８２の一端８６を、左右方向の枢軸７４を介して回動自在に軸支する構成である。なお、付勢部材としては、ガススプリングの他に、バネ等の弾性部材を用いることも可能であり、上方へと付勢力を生じる部材であれば、特に限定されるものではない。
【００２３】
次に、図の中央に配置された各部材とそれぞれの関係について説明する。
まず、椅子の躯体となるボディは、略垂直方向に起立する円柱状の支柱５７と、該支柱５７の上部から後方に延設される扇形状の背支持板５４と、該扇形状の背支持板５４の後部から上方向に延設される背取付板５５と、からなり、該背取付板５５の前方に背凭れ２１が取り付けられる。
【００２４】
特に、前記支柱５７の上部から前方にかけて、延出部５３が形成されており、該延出部５３の前部には、左右方向に円柱状の軸支部５２が形成されている。そして、軸支部５２の左右には、それぞれ軸５１が突出しており、該軸５１が前記座受け部材３１の軸孔３２へと軸支される構成である。これにより、前記座３５の下面前方を回動自在かつ前後摺動自在に軸支する構成である。また、延出部の前部には、上方へと突出する上面が略水平の座受け６０が形成されており、該座受け６０へと前記座の前部下面を保持する構成である。
【００２５】
前記支柱５７の内部には、該支柱５７を上下方向に貫通する開口５６が形成されており、後述する、ガススプリング８２等の付勢部材８２を挿通するとともに、ガススプリングが上部開口５６から上下昇降自在に形成される。
【００２６】
前記支柱５７の下方には、アンカーボルト６４等を用いて床面に固定されるベース６１が形成されており、該ベース６１の上方に形成された窪みには、ガススプリング等の付勢部材８２の一端８４を軸支するための軸孔６３を有する軸受け６２が形成されている。
【００２７】
また、ベース６１の側面前方には、前記支柱５７を軸支するための軸孔６４が形成されており、該軸孔６４と支柱下部の脚部材５８の前方側面に形成された軸孔５９とを、枢軸６７を用いて一体に軸支する構成である。
【００２８】
これにより、前記支柱５７はベース６１に対して回動自在に軸支され、前記支柱５７を斜め前方と斜め後方とに、それぞれ傾倒自在となっている。このとき、支柱の脚部５８の先端部分６８が、ベース６１の内壁に当接して、支柱６１の前後傾倒の角度を決める構成である。
【００２９】
次に、図の右方に配置された各部材とそれぞれの関係について説明する。
まず、前記座３５を上下に昇降させる付勢部材８２としてのガススプリング８２は、上下方向に長い筒部材（筒本体８２）と、該筒本体８２の内部から外部にかけて、下方へと突出するロッド８３からなり、前記筒本体８２の内部には圧縮ガスおよびオイル等が密封されている。
そして、筒本体８２の内部を、図示しないオリフィスを有するピストン８５で二室に区切ることにより、ピストン８５から延設された前記ロッド８３が常に伸びる方向へと付勢力を生じている。
【００３０】
すなわち、ガススプリング下部の軸支部８４を、ベース内部の軸受け部６２へと左右方向の枢軸８５を介して軸支し、ガススプリング８２を前記支柱内部の空洞５６へと挿通する。そして、ガススプリング上部が支柱上部より突出した状態で、内部が空洞の円筒状カバー部材７１を、ガススプリング上部に挿通するとともに支柱５７の内部へと挿通する。
【００３１】
前記円筒状のカバー部材７１は、その上部に、左右方向の円筒部材７２が延設されており、ガススプリング８２の上部８１が、カバー部材７１に挿通された状態で、左右方向の円筒部材７２から枢軸７４を用いてガススプリング上部の軸支部８１を軸支するとともに、さらには、前記座３５の下面に形成された座受け部３１の軸孔３３へと一体に軸支する構成である。
【００３２】
このように、ガススプリング８２を支柱内部に挿通するとともに、ガススプリングの一端８４をベース６１に固定（軸支）し、他端８１を座３５の下面後部に軸支することで、支柱５７の上部において、座３５の下面後部に、上方への付勢力を常に付与することが可能である。
【００３３】
また、ガススプリング８２上部を、カバー部材７１で覆うことにより、支柱内部の付勢部材８２を外部に露出することなく、さらには、支柱５７内部に異物等が入り込むことを防止することが可能である。
【００３４】
次に、本発明の椅子における、座３５の動作について説明する。
まず、図３に示すように、ガススプリング８２の一端８４（下方）が、床面に固定されたベース６１に軸支され、ガススプリング８２の他端８１（上方）が、座受け部３１の後部に軸支７４されている。このとき、ガススプリング８２の上方への付勢力により、座３５の後部３５ｂが上昇した状態となり、すなわち座３５の不使用位置となる。
【００３５】
他方、座３５の前部に形成された軸孔３２へと、支柱上部から前方に延出した延出部５３の枢軸５１が軸支されており、延出部５３の枢軸５１は、座受け部３１の軸孔３２の前部に当接した状態で、座３５の前部が、上方へと回動して斜めの傾斜をなしている。すなわち、ガススプリングが座の中心より後方を押し上げ、かつ座の前部３５ａを回動自在に軸支することで、座の後部３５ｂを上昇せしめ座を斜めに傾斜させる構成である。
【００３６】
このように、本発明の椅子における座３５は、通常状態では、付勢部材８２の上方への付勢力により、座の後部３５ｂが上昇し、座の前部３５ａが上方へと回動かつ後方へと摺動する、座の不使用位置を保持している。
【００３７】
次に、この状態（座の不使用位置）から、座３５の後部３５ｂを押し下げると、図４に示すように、ガススプリング８２が収縮しつつ軸支部８１が枢軸７４を軸に回動し、座の後部３５ｂが下降する。
【００３８】
このとき、座受け部材３１の前部が、延出部５３の枢軸５１を支点に下方へと回動するとともに、軸孔３２に沿って座受け部３１が前方へと摺動する。
【００３９】
さらに、座３５を押し下げると、図５に示すように、座受け部材３１の前部が、軸孔３２に沿って前方へと摺動し、軸孔３２の最後部に当接するとともに、ガススプリングの筒本体８２が軸支部８４に当接して、座３５の下降が規制され、座３５および座受け部材３１が略水平状態の、座３５の使用位置となる。
【００４０】
このように、本発明の椅子１は、座の後部３５ｂが下降する動作に追従して、座の前部３５ａが前方へと摺動して、座３５が略水平の状態へと可動変形する構成である。
他方、着座状態から起立したときは、ガススプリングの上方への付勢力に伴い、座の後部３５ｂが上昇するとともに、座の前部３５ａが、軸孔に沿って後方へと摺動して、座３５が初期状態（不使用位置）に戻ることはいうまでもない。
【００４１】
このように、本発明の椅子１は、従来の複雑なリンク機構を用いることなく、簡単な構成で、座３５の使用位置から不使用位置へと変形させることが可能である。
すなわち、支柱５７の上部から、前方へと延出する延出部５３を設け、該延出部５３に、前記座３５の下面前部を回動自在かつ前後摺動自在に軸支３１し、前記支柱５７の上部に、上方へと付勢する付勢部材８５を形成し、該付勢部材８５に、前記座３１の下面後部を回動自在に軸支７４する簡単な構成により、従来の複雑なリンク機構を用いることなく、座３５の使用位置から不使用位置へと変形させることが可能である。
【００４２】
特に、ベース６１から座３５にかけて複雑なリンク機構を必要とせず、リンク機構の頻繁なメンテナンスを要さず、座の下方には支柱が起立されているだけで、座に着座した際の足元の邪魔になるようなことはないから、足元の空間が狭められることがなく、足回りを広くした自由な姿勢で着座することができる。
【００４３】
次に、前記座の使用位置から不使用位置へと変形させる構成に加えて、前記支柱５７の傾倒による、椅子の収納状態１ａから、引き出し状態１ｂを経て、着座状態１ｃに至る一連の動作について説明する。
【００４４】
まず、椅子の収納状態１ａについて説明する。
ここでいう椅子の収納状態１ａとは、図６に示すように、座３５が略垂直に起立した不使用位置かつ支柱５７がベース６１に対して前傾した状態をいう。この状態（収納状態１ａ）では、椅子全体が、椅子の前方に位置する机面の下方スペースへと入り込むため、椅子の後方に、人が通れる通路が確保される構成である。
【００４５】
一般に、複数の机が前後方向に連続して配置される講義室などでは、前後の机間距離を最小にして、限られた空間内で最大の人数を収容する必要がある。しかしながら、前後方向に複数の机を配置すると、必然的に前後の机間距離が小さくなるため、椅子と後方の机との間に、人が通るスペース（通路）を確保することが困難となる。
よって、未使用の椅子を前傾させることで、未使用の椅子を机に近接させて収納し、椅子の後方に大きな通路を確保することが可能である。そして、椅子の使用者は、その都度、未使用の椅子（収納状態の椅子）を引き出して着座することが効率的である。
【００４６】
すなわち、本発明の椅子における収納状態１ａは、図６および図７に示すように、ベース６１に軸支されたガススプリング８２が上方に伸びきった状態であり、ガススプリング８２が座受け部３１の後部を持ち上げて座３５を不使用位置に保持するとともに、前記脚部材５８が、ガススプリングの軸支部８４より前方で軸支６７されるため、前記ガススプリング８２の伸長作用により前記脚部材５８がさらに前方へと軸回転して、結果、支柱５７が前傾姿勢を保持する構成である。この場合（１ａ）、椅子の座３５が机面Ｄの下方に入り込み、椅子の背凭れ２１が、ベース６１の後端より前方に位置するため、椅子１の後方に大きな空間（通路）が形成される構成である。
【００４７】
次に、椅子の引き出し状態１ｂおよび椅子の着座状態１ｃについて説明する。
ここでいう椅子の引き出し状態１ｂとは、図８に示すように、座３５の不使用位置かつ支柱５７がベース６１に対して後傾した状態をいう。着座者は、前記椅子の収納状態１ａにおける前傾した椅子の背凭れ２１を持ち、後方へと引くことで、図８および図９に示すように、支柱の脚部材５８が、枢軸６７を軸に後方へと回動（傾倒）するとともに、脚部材５８の下面および脚部材５８の先端部分６８がベース６１の下面およびベースの内壁に当接して、椅子１の後傾が規制され椅子全体が後傾する。
【００４８】
このように、椅子の引き出し状態において、座板を前傾させる理由としては、着座者が、椅子を引き出した状態で、椅子の横に立った位置から足元を見ると、机の縁部と座板の前縁とから、着座者の足を滑り込ませるための、大きな隙間空間が形成されるためである。
【００４９】
例えば、椅子が傾斜しない構成では、机と座板との間に入り込むことができず、図１１の状態で足を滑り込ませ窮屈な姿勢で着座するため、身体的な負荷が大きい。よって、椅子の引き出し状態で、座板が前傾した状態が有効である。
【００５０】
また、略垂直に起立した座３５は、支柱５７の後傾に伴い、座面３５の起立角度が緩やかになるため、臀部を座３５に当接させた際にも、臀部が前方へと滑り落ちることを防ぐ効果がある。
【００５１】
そして、椅子の着座状態１ｃでは、図１０および図１１に示すように、座の後部３５ｂの下降に伴い、ガススプリング８２が収縮して最も縮んだ状態となり、他方、延出部５３の枢軸５１が座受け部３１の軸孔３２の最後部に位置して、座３５が略水平の使用位置となり、着座者は、机面Ｄとの最適な距離をもって着座することが可能である。また、座の下面が、延出部５３の上面の座受け６０に当接して座３５を安定して保持することが可能である。
【００５２】
特に、椅子の着座状態１ｃにおいて、座３５の下方と支柱５７の前方との間に大きな空間Ｓが形成されるため、着座者が脚を折り曲げて座面の下方に脚を挿入しても、脚が当接する部材等がなく、座に着座した際の足元の邪魔になるようなことはないから、足回りを広くした自由な姿勢で着座することができる。
【００５３】
なお、着座者が起立して席を離れる際には、ガススプリング８２の付勢力により、自動的に座３５が略垂直に持ち上がり、支柱５７が前方へと傾倒する収納状態１ａへと移行することはいうまでもない。また、椅子の引き出し状態１ｂでは、依然ガススプリング８２が上方へと付勢力を働かせており、引き出し状態１ｂで椅子から手を離すと、再び、椅子が前傾して収納状態１ａへと戻る構成である。
【００５４】
このように、本発明の椅子は、従来の複雑なリンク機構を用いることなく、簡単な構成で、座３５を可動自在に構成し、着座者が座りやすく、また、着座後も足元の空間を大きくとることが可能である。さらには、ベース６１から座３５にかけて１本の支柱で済むため、シンプルな構成からなる意匠性の高い椅子１を提供することが可能である。
【００５５】
さらに、本発明の椅子１は、着座状態１ｃにおいて、座３５を前方に水平移動１ｄさせることで、椅子１の後方に大きな通路を形成することが可能である。
【００５６】
例えば、着座している椅子１の後方には後の机Ｄ’が位置しており、着座者の後方を人が通過しようとする場合、椅子１と机Ｄ’との間に通路を確保する必要がある。
この場合、着座者が一度起立して椅子１を収納状態１ａに戻さないと、通路を確保することが困難であるが、本発明の椅子１は、図１２に示すように、着座者が座った状態で僅かに前方へとかがむことにより、支柱５７が着座者の動きに追従して前方に傾倒するため、僅かな座面の水平移動Ｈにより、背凭れ２１が大きく傾倒Ｗして、椅子１の後方に大きな通路を形成することが可能である。
【００５７】
すなわち、着座者が前方にかがむことで支柱５７が僅かに前傾して、座３５が水平方向にスライドＨする一方、支柱５７の僅かな前傾に伴い、背凭れ２１が大きく前傾するため、背凭れ２１と机Ｄ’との間に大きな通路を確保することが可能である。特に、座面の高さｈをほぼ変えることなく、座を水平移動Ｈさせて、自然な着座姿勢を維持した状態で、後方に大きな通路を確保することが可能である。
【００５８】
以上のように、本発明の椅子１は、従来の複雑なリンク機構を用いることなく、簡単な構成で、座３５を略水平な使用位置から、座３５が前方に傾倒した不使用位置に移動させることができる。特に、ベース６１から座３５にかけて複雑なリンク機構を必要とせず、リンク機構の頻繁なメンテナンスを要さず、座３５の下方には支柱５７が起立されているだけで、座３５に着座した際の足元の邪魔になるようなことはないから、足元の空間が狭められることがなく、足回りを広くした自由な姿勢で着座することができる。
【００５９】
上記例では、座の前部３５ａを回動自在かつ前後方向に摺動自在に形成した例を示したが、これに限らず、座の後部３５ｂを前後方向に摺動自在に形成してもよく、例えば、図１３に示すように、座の前部３５ａを回動自在に形成するとともに、座の後部３５ｂを回動自在かつ前後摺動自在に形成することで、座の不使用位置と使用位置とに変形自在とする構成であってもよい
【００６０】
さらに、上記例では、座の前部３５ａまたは後部３５ｂのいずれかを前後摺動自在に形成した例を示したが、これに限らず、例えば、座の前部３５ａおよび後部３５ｂを、それぞれ前後摺動自在に形成してもよく、図１４に示すように、座の前部３５ａおよび後部３５ｂに、それぞれ長い軸孔３２，３３を形成し、延出部５３の枢軸５１と付勢部材８２の枢軸７４とを、それぞれ軸支する構成であってもよい。このとき、座の不使用位置において、座の後部３５ｂの枢軸７４が軸孔３３の最後部に軸支されるため、座が下方へと滑り落ちることがない。
【００６１】
そして、図１５に示すように、椅子を引き出した後、座板に臀部を当接させることで、図１６および図１７に示すように、座の前部３５ａおよび後部３５ｂの枢軸５１，７４が軸孔３２，３３に沿って滑らかに摺動し、図１８に示すように、座３５を略水平の使用位置とすることが可能である。このとき、座の前部３５ａの枢軸５１が座の前部３５ａの軸孔３２の最後部に位置するとともに、座の後部３５ｂの枢軸７４が座の後部３５ｂの軸孔３３の最前部に位置するため、座３５が前後に滑ることがない。このように、座の前部３５ａおよび後部３５ｂに長い軸孔３２，３３を形成し、前後摺動自在に軸支５１，７４することで、座３５の傾倒動作がスムーズに行われる効果がある。
【００６２】
特に、座り始めに、座の先端部分が前方にスライドするため、座の傾きが緩やかになるとともに、着座者の臀部が椅子の後方に自動で入り込み、座板と臀部が確実に当接するため、着座者が座板から滑り落ちる等の恐れがない。
【００６３】
何れにせよ、本発明の椅子１は、前記座の前部３５ａまたは後部３５ｂを前後摺動かつ回動自在に構成し、かつ前記座の後部３５ｂを上下昇降かつ回動自在に構成することにより、前記座３５が略垂直状態となる不使用位置１ａと、前記座３５が略水平状態となる使用位置と、に変形自在な構成であれば、上記実施の形態に何ら限定されるものではなく、本発明の趣旨を逸脱しない範囲において種々の変更が可能である。
【図面の簡単な説明】
【００６４】
【図１】本発明の椅子を示す図である。（ａ）椅子の収納状態を示す図である。（ｂ）椅子の引き出し状態を示す図である。（ｃ）椅子の着座状態を示す図である。
【図２】椅子の分解図である。
【図３】座の不使用位置を示す説明図である。
【図４】座の動きを示す説明図である。
【図５】座の使用位置を示す説明図である。
【図６】椅子の収納状態を示す一部切断図である。
【図７】椅子の収納状態を示す断面図である。
【図８】椅子の引き出し状態を示す一部切断図である。
【図９】椅子の引き出し状態を示す断面図である。
【図１０】椅子の着座状態を示す一部切断図である。
【図１１】椅子の着座状態を示す断面図である。
【図１２】座の動きを示す断面図である。
【図１３】本発明の椅子の別の例を示す図である。（ａ）椅子の収納状態を示す図である。（ｂ）椅子の引き出し状態を示す図である。（ｃ）椅子の着座状態を示す図である。
【図１４】椅子の収納状態を示す断面図である。
【図１５】椅子の引き出し状態を示す断面図である。
【図１６】椅子の着座時を示す断面図である。
【図１７】椅子の着座状態を示す断面図である。
【図１８】椅子の着座状態を示す断面図である。
【符号の説明】
【００６５】
１  椅子
２１  背凭れ
３５  座
３５ａ  座の前部
３５ｂ  座の後部
３１  座受け部材
３２  軸孔
３３  軸孔
５１  枢軸
５２  軸支部
５３  延出部
５４  背支持板
５５  背取付板
５６  開口
５７  支柱
５８  脚部
５９  軸孔
６０  座受け
６１  ベース部材（ベース）
６２  軸受け
６３  軸孔
６４  軸孔
６５  アンカーボルト
６６  軸孔
６７  枢軸
６８  脚部の先端
７１  カバー（垂直部）
７２  カバー（水平部）
７３  ストッパ
７４  枢軸
８１  軸支部
８２  ガススプリング
８３  ロッド
８４  軸支部
８５  枢軸
【図１】
0005485630.tif 000002
【図２】
0005485630.tif 000003
【図３】
0005485630.tif 000004
【図４】
0005485630.tif 000005
【図５】
0005485630.tif 000006
【図６】
0005485630.tif 000007
【図７】
0005485630.tif 000008
【図８】
0005485630.tif 000009
【図９】
0005485630.tif 000010
【図１０】
0005485630.tif 000011
【図１１】
0005485630.tif 000012
【図１２】
0005485630.tif 000013
【図１３】
0005485630.tif 000014
【図１４】
0005485630.tif 000015
【図１５】
0005485630.tif 000016
【図１６】
0005485630.tif 000017
【図１７】
0005485630.tif 000018
【図１８】
0005485630.tif 000019